(57)【要約】【課題】  本発明は、放出する場所に応じて液体の放射形状を切り替えることにより、効果的・効率的に消火又は延焼防止することができる消火又は延焼防止装置を提供する。【解決手段】延焼防止設備１は、棒状の延焼防止薬剤５ａを放出する棒状ノズル２ａと拡散した形状の延焼防止薬剤５ｂを放出する拡散ノズル２ｂとからなるノズル部２と、薬剤タンクからホース４によって送られてきた延焼防止薬剤５をノズル部２に供給する供給制御手段である三方弁３と、サイホン管、窒素ボンベ、起動用バルブ、圧力調整器、仕切弁、点検用のガス抜き弁及び格納箱から構成する。ノズル部２の棒状ノズル２ａと拡散ノズル２ｂは、棒状に放出された延焼防止薬剤５ａと扇状に放出された延焼防止薬剤５ｂが衝突するように所定の位置に上下に隣接して平行に配置する。【選択図】図３
2019170629.tif 000002
【特許請求の範囲】
【請求項１】
棒状に液体を放出する棒状ノズルと、
液体を拡散して放出する拡散ノズルと
を備え、
前記棒状ノズルと前記拡散ノズルから放出した液体を衝突するように、前記棒状ノズルと前記拡散ノズルを配置したことを特徴とする消火又は延焼防止装置。
【請求項２】
前記拡散ノズルは、扇状に液体を放出することを特徴とする請求項１に記載の消火又は延焼防止装置。
【請求項３】
前記棒状ノズルと前記拡散ノズルとへの液体の供給を制御する供給制御手段を設けたことを特徴とする請求項１又は２に記載の消火又は延焼防止装置。
【請求項４】
前記供給制御手段は、前記棒状ノズル及び前記拡散ノズルへの液体の供給を別々に制御できることを特徴とする請求項３に記載の消火又は延焼防止装置。
【請求項５】
前記供給制御手段は、三方弁であることを特徴とする請求項３又は４に記載の消火又は延焼防止装置。
【発明の詳細な説明】
【技術分野】
【０００１】
本発明は、火災が発生した際に火災部周辺に消火又は延焼防止のために液体の薬剤を散布したり、火災部に散布したりして消火又は延焼を防止する、消火又は延焼防止装置に関するものである。
【背景技術】
【０００２】
消火用又は延焼防止用の液体を使用した消火又は延焼防止装置では、所定の放出距離・放出高さ、例えば放出距離１０ｍ及び放出高さ１０ｍに位置する高所の火災部に消火または延焼防止薬剤を放出する場合に、液体を棒状にして強い勢いで放射している。
【先行技術文献】
【特許文献】
【０００３】
【特許文献１】特開２０１１−１６７３５７号公報
【特許文献２】特開２０１７−１５８９７１号公報
【発明の概要】
【発明が解決しようとする課題】
【０００４】
しかし、近距離の初期消火を行う場合に、消火薬剤や延焼防止薬剤を棒状に放出すると、放出の勢いで火災部の可燃物等を吹き飛ばしてしまったり、広い範囲の消火又は延焼防止が難しかったりという問題があった。また、近年、高粘度の消火薬剤が検討されている（特許文献１）。この消火薬剤は、水と同等程度の消火作用を有し、発火前の可燃物表面に付着することにより熱の伝導や酸素を遮断して延焼を防止する延焼防止薬剤としても機能する。火災部の可燃物が茅葺屋根の場合、発火後の可燃物表面をこの消化薬剤で覆うことで外部からの空気の流入を抑制し、燃え広がりを抑制する効果を有する。この高粘度の液体を壁面等に付着させて消火又は延焼防止を行う場合にも、棒状に放出すると、壁面等に衝突した勢いで周囲に液体が飛散し、高粘度の液体を均一に塗り付けることができず、上記の高粘度液体の効果を活かすことができないという問題があった（特許文献２）。
【０００５】
そこで、本発明は、放出する場所に応じて液体の放出形状を切り替えることにより、効果的・効率的に消火又は延焼防止することができる消火又は延焼防止装置を提供することを課題とするものである。
【課題を解決するための手段】
【０００６】
本発明は、上記課題を解決するものであり、以下の構成を有する。
【０００７】
（１）本発明は、棒状に液体を放出する棒状ノズルと、液体を拡散して放出する拡散ノズルとを備え、前記棒状ノズルと前記拡散ノズルから放出した液体を衝突するように、前記棒状ノズルと前記拡散ノズルを配置したことを特徴とする消火又は延焼防止装置である。
【０００８】
（２）また、本発明は、前記拡散ノズルは、扇状に液体を放出することを特徴とする（１）に記載の消火又は延焼防止装置である。
【０００９】
（３）また、本発明は、前記棒状ノズルと前記拡散ノズルとへの液体の供給を制御する供給制御手段を設けたことを特徴とする（１）又は（２）に記載の消火又は延焼防止装置である。
【００１０】
（４）また、本発明は、前記供給制御手段は、前記棒状ノズル及び前記拡散ノズルへの液体の供給を別々に制御できることを特徴とする（３）に記載の消火又は延焼防止装置である。
【００１１】
（５）また、前記供給制御手段は、三方弁であることを特徴とする（３）又は（４）に記載の消火又は延焼防止装置である。
【発明の効果】
【００１２】
本発明によれば、放出する場所に応じて消火剤や延焼防止薬剤の液体を放出するノズルを切り替えることにより、効果的・効率的に消火又は延焼防止を行うことができる。高粘度の液体を消火又は延焼防止に使用する場合は、火災部が近距離や壁面である場合は、拡散ノズルから放出することで、勢いにより液体を周囲に飛散させることなく均一に塗り付けることができる。火災部が高所の場合は、棒状ノズルから勢いよく放出する。また、火災部が高所と壁面の両方である場合は、棒状ノズルと拡散ノズルから同時に放出する。そして、棒状ノズルと拡散ノズルから放出した液体を衝突させて噴霧状の放出形状を発生させることで高所の火災部に液体を飛散させず、広い範囲に均一に液体を塗布することができる。このように状況に応じて液体を放出するノズルを切り替えることにより液体の消火又は延焼防止効果を向上させることができる。
【図面の簡単な説明】
【００１３】
【図１】本発明の一実施形態における延焼防止設備１の棒状ノズル２ａを使用した場合の説明図である。
【図２】本発明の一実施形態における延焼防止設備１の拡散ノズル２ｂを使用した場合の説明図である。
【図３】本発明の一実施形態における延焼防止設備１の棒状ノズル２ａと拡散ノズル２ｂの両方を使用した場合の説明図である。
【図４】本発明の一実施形態における延焼防止設備１の棒状ノズル２ａと拡散ノズル２ｂの両方を使用した場合の火災部８，８１，８２への放出状況を示す図である。
【発明を実施するための形態】
【００１４】
本発明は消火又は延焼防止装置である。以下、本発明を実施するための形態について説明する。本願ではパッケージ型の延焼防止設備１を消火又は延焼防止装置の実施形態として説明する。パッケージ型の延焼防止設備１は延焼防止薬剤の薬剤タンクやホース等をパッケージとして備え、比較的小型であり、文化財の設置場所近辺に容易に設置することができる。
【００１５】
本発明の一実施形態における延焼防止設備１の構成について説明する。
図１〜図３はそれぞれ、本発明の一実施形態における延焼防止設備１の棒状ノズル２ａを使用した場合、拡散ノズル２ｂを使用した場合、棒状ノズル２ａと拡散ノズル２ｂを同時使用した場合の使用状態を説明する図である。延焼防止設備１は、ノズル部２と、薬剤タンク（図示せず）からホース４によって送られてきた延焼防止薬剤をノズル部２に供給する供給制御手段である三方弁３と、格納箱及び格納箱に収納された機器(図示せず)から構成されている。なお、格納箱に収納された機器である薬剤タンク、サイホン管、窒素ボンベ、起動用バルブ、圧力調整器、仕切弁、点検用のガス抜き弁及び格納箱の構成については図示していないが、特許文献２の図１に示すパッケージ型延焼防止設備と同様の構成である。薬剤タンクに貯蔵されている延焼防止薬剤５は、水にコロイドケイ酸塩をプレミックスした、チキソトロピー性を有した高粘度状の液体である。ノズル部２は、棒状の延焼防止薬剤５ａを放出する棒状ノズル２ａと拡散した形状の延焼防止薬剤５ｂを放出する拡散ノズル２ｂとから構成されている。三方弁３はボール弁にＴ字型のポートを有する三方ボール弁であり、前方に放出口３ａ、下方に放出口３ｂ、後方に流入口３ｃを有する。ボール弁は水平方向の回転軸３ｄに垂直に設けた三方弁３の側面の弁操作ハンドル３ｅを回転させてＴ字型のポートを切り替える構成となっている。そして、ホース４が接続された後方の流入口３ｃから送られてきた延焼防止薬剤５の放出口３ａ，３ｂへの供給制御は、弁操作ハンドル３ｅを回転させ、ボール弁のポートの接続を放出口３ａと流入口３ｃ、放出口３ｂと流入口３ｃ、又は放出口３ａ，３ｂと流入口３ｃに切り替えることで行われる。このように、流入口３ｃに送られてきた延焼防止薬剤５を、三方弁３により、棒状ノズル２ａと拡散ノズル２ｂへ別々に、又は棒状ノズル２ａと拡散ノズル２ｂの両方に供給することができる。拡散ノズル２ｂは、Ｌ字状の継手管６を介して三方弁３の放出口３ｂと接続され、上下方向に拡散された扇状の延焼防止薬剤５ｂを放出する。また、拡散ノズル２ｂは、図３に示すように棒状に放出された延焼防止薬剤５ａと扇状に放出された延焼防止薬剤５ｂが衝突する所定の位置に、棒状ノズル２ａと上下に隣接して平行に配置されている。
【００１６】
次に延焼防止設備１の使用方法について説明する。
図４は、本発明の一実施形態における延焼防止設備１の棒状ノズル２ａと拡散ノズル２ｂの両方を使用した場合の火災部８，８１，８２への放出状況を示す図である。図４では、建物７の屋根における火災部８，８１と、壁面の火災部８２で生じている火災の消火指定状況を模式的に示す。火災が発生した際には、使用者９は延焼防止設備１の起動用バルブを開いて窒素ボンベの圧力を薬剤タンクに供給する。使用者９は、ノズル部２を格納箱から取り出して延焼を避けたい文化財等の方向に向けて弁操作ハンドル３ｅを回転させて三方弁３を開ける。薬剤タンク内の延焼防止薬剤５は、窒素ボンベと圧力調整器による加圧により押し出され、薬剤タンクからサイホン管を経てホース４に流出する。そして、三方弁３を経てノズル部２の棒状ノズル２ａと拡散ノズル２ｂの個々から、又は両方から延焼防止薬剤５が火災部８，８１，８２に向けて放出される。
【００１７】
放出する対象が文化財の屋根等のような高所の火災部８，８１である場合は、図１に示すように、使用者９は、三方弁３の弁操作ハンドル３ｅを回転させ、棒状ノズル２ａが接続された放出口３ａに弁を開放する。そして、棒状ノズル２ａから棒状の延焼防止薬剤５ａを放出して消火又は延焼防止を行う。また、初期消火や火災部８２のように文化財の壁面が燃えている場合、他の建物からの延焼を防ぐ場合等は、図２に示すように、使用者９は、三方弁３の弁操作ハンドル３ｅを回転させ、拡散ノズル２ｂが接続された放出口３ｂに弁を開放する。そして、拡散ノズル２ｂから拡散した扇状の延焼防止薬剤５ｂを放出して消火又は延焼防止を行う。なお、拡散ノズル２ｂは、特許文献２の図２に示すノズルと同様の構造を有し、本実施例では拡散ノズル２ｂの放水口の前方に設けてある溝が垂直方向になるようにノズルが取付けられている。そのため、三方弁３により拡散ノズル２ｂへ弁を開放すると、本願の図２に示すように縦に広がる扇状の延焼防止薬剤５ｂが放出される。拡散ノズル２ｂから放出され、垂直方向に扇状に広がった延焼防止薬剤５ｂは文化財等の壁面に付着する。延焼防止設備１の使用者９はノズル部２を左右に振ることによって、延焼防止薬剤５ｂを壁面に付着していない場所がないように、隙間なく付着させることができる。このとき、ノズル部２を９０度横に倒して、拡散ノズル２ｂから放出された延焼防止薬剤５ｂを水平方向に扇状に広がるように使用してもよい。
【００１８】
火災部が、文化財の建物全体又は一部であっても建物全体の延焼を防止するために、延焼防止薬剤５を建物全体に向けて放出する場合がある。この場合、図３に示すように、使用者９は、三方弁３の弁操作ハンドル３ｅを回転させ、棒状ノズル２ａと拡散ノズル２ｂが接続された放出口３ａ，３ｂに弁を開放する。そして、棒状ノズル２ａ及び拡散ノズル２ｂから延焼防止薬剤５ａ，５ｂを放出させる。放出された延焼防止薬剤５ｂと延焼防止薬剤５ａは、一部同士が衝突して噴霧状の延焼防止薬剤５ｃとなる。図４に模式的に示すように、文化財の建物７に向けて放出された延焼防止薬剤５ａは建物７の屋根における高所の火災部８，８１を消火又は延焼防止し、延焼防止薬剤５ｂは建物７の壁面に付着することで壁面の火災部８２を消火又は延焼防止する。また、噴霧状の延焼防止薬剤５ｃは飛距離が棒状の延焼防止薬剤５ａに劣らないので、高所の建物７の屋根の火災部８１まで届かせることができ、延焼防止薬剤５ｃを屋根に付着させて広い範囲に均一に塗り付けることができる。以上のように、延焼防止薬剤５ａ，５ｂ，５ｃの３つの放出形態を同時に備えた放出により、建物７全体に対して効率的・効果的に消火又は延焼防止を行うことができる。また、上記と同様に延焼防止薬剤５を隙間なく付着させるよう、ノズル部２を上下、左右に振ったり、ノズル部２を９０度横に倒したりして使用してもよい。
【００１９】
なお、上記の実施形態では、拡散ノズル２ｂを棒状ノズル２ａの下に設けたが、拡散ノズル２ｂを棒状ノズル２ａの上や左右、斜めのいずれかに設けてもよく、ノズルの配置については上記の実施形態の構成に限定されない。また、上記の実施形態では、棒状ノズル２ａと拡散ノズル２ｂを平行になるように設けていたが、延焼防止薬剤５ａ，５ｂがノズル部の前方で衝突すれば、棒状ノズル２ａと拡散ノズル２ｂを必ずしも平行に設けていなくてもよく、上記の実施形態の構成に限定されない。上記の実施形態では、三方弁３は、三方ボール弁を使用したが、３方向に同時にバルブを開放できる三方弁であればよく、上記の実施形態に限定されることはない。そして、上記の実施形態では、パッケージ型延焼防止設備を文化財の火災の際に用いるとして説明したが、パッケージ型延焼防止設備を住宅密集地に備えることもできる。なお、本発明はパッケージ型の設備形態だけでなく、他の設備形態にも適用することができ、ノズル部２から放出する液体は消火や延焼防止効果がある液体であれば、高粘度状の液体に限定されることはない。
【符号の説明】
【００２０】
１  延焼防止設備、２  ノズル部、２ａ  棒状ノズル、２ｂ  拡散ノズル、３  三方弁、３ａ，３ｂ  放出口、３ｃ  流入口、３ｄ  回転軸、３ｅ  弁操作ハンドル、４  ホース、５，５ａ，５ｂ，５ｃ  延焼防止薬剤、６  継手管、７  建物、８，８１，８２  火災部、９  使用者
【図１】
2019170629.tif 000003
【図２】
2019170629.tif 000004
【図３】
2019170629.tif 000005
【図４】
2019170629.tif 000006